(57)【要約】【課題】蒸発器に着霜した場合に除霜すると同時に給湯も継続させることができるヒートポンプ給湯装置を提供する。【解決手段】圧縮機１１、給湯用熱交換器３０の放熱管１２、膨張弁１３及び蒸発器１４を配管で接続した第１のヒートポンプサイクル１０及び圧縮機２１、給湯用熱交換器３０の放熱管２２、膨張弁２３及び蒸発器２４を配管で接続した第２のヒートポンプサイクル２０を備える。各ヒートポンプサイクル１０、２０はバイパス回路１５、２５を有し、バイパス回路１５、２５は除霜運転時に制御弁１６、２６により開放される。各ヒートポンプサイクル１０、２０の除霜運転は同時に行わないように制御回路１９、２９で制御される。【選択図】        図１
2004360973.tif 000002
【特許請求の範囲】
【請求項１】
圧縮機、給湯用熱交換器、膨張弁、及び蒸発器を配管で接続したヒートポンプサイクルを複数備え、前記給湯用熱交換器で加熱した温水を給湯端末から出湯するヒートポンプ給湯装置であって、それぞれの前記ヒートポンプサイクル毎に前記蒸発器に付着した霜を溶かす除霜手段と、前記除霜手段を前記ヒートポンプサイクル毎に動作させる制御手段とを設けたことを特徴とするヒートポンプ給湯装置。
【請求項２】
前記蒸発器への着霜を検出する着霜検出手段を、前記ヒートポンプサイクル毎に設けたことを特徴とする請求項１に記載のヒートポンプ給湯装置。
【請求項３】
前記着霜検出手段を、前記蒸発器の冷媒温度を検出する蒸発器冷媒温度検出手段としたことを特徴とする請求項１又は請求項２に記載のヒートポンプ給湯装置。
【請求項４】
複数の前記ヒートポンプサイクルによる給湯運転モード時に、前記ヒートポンプサイクルの全てが同時に除霜運転を行わないことを特徴とする請求項１から請求項３のいずれかに記載のヒートポンプ給湯装置。
【請求項５】
前記ヒートポンプサイクルの給湯運転モード終了時に、前記着霜検出手段によって前記蒸発器への着霜を検出し、前記着霜検出手段によって前記蒸発器への着霜を検出した場合には、前記除霜手段によって前記蒸発器に付着した霜を溶かした後に前記ヒートポンプサイクルの運転を停止することを特徴とする請求項２から請求項４のいずれかに記載のヒートポンプ給湯装置。
【請求項６】
複数の前記ヒートポンプサイクルによる給湯運転モード時に、前記除霜手段を動作させる制御手段の動作条件を、前記ヒートポンプサイクル毎に異ならせたことを特徴とする請求項１から請求項５のいずれかに記載のヒートポンプ給湯装置。
【請求項７】
複数の前記ヒートポンプサイクルによる給湯運転モード時に、前記除霜手段を動作させる制御手段の初回の動作条件を、前記ヒートポンプサイクル毎に異ならせたことを特徴とする請求項１から請求項５のいずれかに記載のヒートポンプ給湯装置。
【請求項８】
圧縮機、給湯用熱交換器、膨張弁、及び蒸発器を配管で接続したヒートポンプサイクルを備え、前記給湯用熱交換器で加熱した温水を給湯端末から出湯するヒートポンプ給湯装置であって、前記蒸発器に付着した霜を溶かす除霜手段と、前記除霜手段を動作させる制御手段とを設けたことを特徴とするヒートポンプ給湯装置。
【請求項９】
前記ヒートポンプサイクルに用いる冷媒を二酸化炭素とし、高圧側では臨界圧を越える状態で運転することを特徴とする請求項１から請求項８のいずれかに記載のヒートポンプ給湯装置。
【発明の詳細な説明】
【０００１】
【発明の属する技術分野】
本発明は、圧縮機、給湯用熱交換器、膨張弁、及び蒸発器を配管で接続したヒートポンプサイクルを複数備え、給湯用熱交換器で加熱したお湯をそのまま出湯する、瞬間湯沸かし型のヒートポンプ給湯装置に関する。
【０００２】
【従来の技術】
従来から、ヒートポンプサイクルを利用した給湯装置が提案されており、例えば、貯湯タンクを備え、この貯湯タンクにあらかじめ溜めたお湯を利用する貯湯型の給湯装置が提案されている。しかし、このような貯湯型の給湯装置では、貯湯タンクが小さいと湯切れを生じる場合があり、湯切れを生じないためには大きな貯湯タンクが必要となってしまう。
そこで、貯湯タンクを利用することなく、熱交換器で加熱したお湯をそのまま出湯する、瞬間湯沸かし型の給湯装置が提案されている（例えば特許文献１参照）。
ところで、この瞬間湯沸かし型の給湯装置は比較的長時間運転すると着霜することがある。特許文献１には着霜した霜を除霜する方法について記載されていない。一方、貯湯式ヒートポンプ給湯機における除霜方法としては、ヒートポンプ回路にホットガスバイパス回路を設け、除霜時に貯湯動作を停止させ、冷媒をホットガスバイパス回路にバイパスさせて蒸発器の除霜を行うものが提案されている（例えば特許文献２参照）。
【０００３】
【特許文献１】
特開平２−２２３７６７号公報（図１参照）
【特許文献２】
特開２００１−２８０６９７号公報（図１参照）
【０００４】
【発明が解決しようとする課題】
前述したように特許文献１の瞬間湯沸かし型の給湯装置は、シャワーや風呂給湯などの大能力運転時には、ヒートポンプサイクルを長時間運転させるため蒸発器に着霜することがある。この着霜を除霜するにはヒートポンプの加熱運転を停止させて給湯を停止した状態で、蒸発器を加熱しなければならないため、その間湯を利用できないなど利便性に問題がある。また、これを避けるために給湯を継続しても、湯の温度が低下してしまい、給湯を停止せざるを得ない。
一方、特許文献２のヒートポンプ回路は、除霜のために貯湯動作を停止させ、冷媒をホットガスバイパス回路にバイパスさせて蒸発器の除霜を行うことができる。この場合、給湯は貯湯槽から行うことができるので、給湯が中断されることはない。しかし、除霜時に給湯を継続させるには貯湯槽が必要である。
【０００５】
そこで本発明は、ヒートポンプサイクルを利用した瞬間湯沸かし型の給湯装置であって、蒸発器に着霜した場合に貯湯槽を必要とせずに除霜すると同時に給湯も継続させることができるヒートポンプ給湯装置を提供することを目的とする。
【０００６】
【課題を解決するための手段】
請求項１記載の本発明のヒートポンプ給湯装置は、圧縮機、給湯用熱交換器、膨張弁、及び蒸発器を配管で接続したヒートポンプサイクルを複数備え、前記給湯用熱交換器で加熱した温水を給湯端末から出湯するヒートポンプ給湯装置であって、それぞれの前記ヒートポンプサイクル毎に前記蒸発器に付着した霜を溶かす除霜手段と、前記除霜手段を前記ヒートポンプサイクル毎に動作させる制御手段とを設けたことを特徴とする。
請求項２記載の本発明は、請求項１に記載のヒートポンプ給湯装置において、
前記蒸発器への着霜を検出する着霜検出手段を、前記ヒートポンプサイクル毎に設けたことを特徴とする。
請求項３記載の本発明は、請求項１又は請求項２に記載のヒートポンプ給湯装置において、前記着霜検出手段を、前記蒸発器の冷媒温度を検出する蒸発器冷媒温度検出手段としたことを特徴とする。
請求項４記載の本発明は、請求項１から請求項３のいずれかに記載のヒートポンプ給湯装置において、複数の前記ヒートポンプサイクルによる給湯運転モード時に、前記ヒートポンプサイクルの全てが同時に除霜運転を行わないことを特徴とする。
請求項５記載の本発明は、請求項２から請求項４のいずれかに記載のヒートポンプ給湯装置において、前記ヒートポンプサイクルの給湯運転モード終了時に、前記着霜検出手段によって前記蒸発器への着霜を検出し、前記着霜検出手段によって前記蒸発器への着霜を検出した場合には、前記除霜手段によって前記蒸発器に付着した霜を溶かした後に前記ヒートポンプサイクルの運転を停止することを特徴とする。
請求項６記載の本発明は、請求項１から請求項５のいずれかに記載のヒートポンプ給湯装置において、複数の前記ヒートポンプサイクルによる給湯運転モード時に、前記除霜手段を動作させる制御手段の動作条件を、前記ヒートポンプサイクル毎に異ならせたことを特徴とする。
請求項７記載の本発明は、請求項１から請求項５のいずれかに記載のヒートポンプ給湯装置において、複数の前記ヒートポンプサイクルによる給湯運転モード時に、前記除霜手段を動作させる制御手段の初回の動作条件を、前記ヒートポンプサイクル毎に異ならせたことを特徴とする。
請求項８記載の本発明のヒートポンプ給湯装置は、圧縮機、給湯用熱交換器、膨張弁、及び蒸発器を配管で接続したヒートポンプサイクルを備え、前記給湯用熱交換器で加熱した温水を給湯端末から出湯するヒートポンプ給湯装置であって、前記蒸発器に付着した霜を溶かす除霜手段と、前記除霜手段を動作させる制御手段とを設けたことを特徴とする。
請求項９記載の本発明は、請求項１から請求項８のいずれかに記載のヒートポンプ給湯装置において、前記ヒートポンプサイクルに用いる冷媒を二酸化炭素とし、高圧側では臨界圧を越える状態で運転することを特徴とする。
【０００７】
【発明の実施の形態】
本発明による第１の実施の形態によるヒートポンプ給湯装置は、複数のヒートポンプサイクルを備え、それぞれのヒートポンプサイクル毎に蒸発器に付着した霜を溶かす除霜手段と、除霜手段をヒートポンプサイクル毎に動作させる制御手段とを設けたものである。本実施の形態によれば、除霜するヒートポンプサイクルを複数のヒートポンプサイクルで切り替えることにより、１つのヒートポンプサイクルが除霜している間でも他のヒートポンプサイクルで給湯加熱運転させることができるので、途切れることなく常に給湯することができる。また、ヒートポンプサイクルを複数備えているので、能力に応じてヒートポンプサイクルの運転台数を切り換え、幅広い能力において大ＣＯＰにて運転することが可能となる。
本発明による第２の実施の形態は、第１の実施の形態によるヒートポンプ給湯装置において、蒸発器への着霜を検出する着霜検出手段をヒートポンプサイクル毎に設けたものである。本実施の形態によれば、ヒートポンプサイクル毎に除霜のタイミングを検出することができる。
本発明による第３の実施の形態は、第１又は第２の実施の形態によるヒートポンプ給湯装置において、着霜検出手段として蒸発器の冷媒温度を検出する蒸発器冷媒温度検出手段としたものである。本実施の形態によれば、蒸発器の着霜の状態を正確に検出することができる。
本発明による第４の実施の形態は、第１から第３のいずれかの実施の形態によるヒートポンプ給湯装置において、複数のヒートポンプサイクルによる給湯運転モード時に、ヒートポンプサイクルの全てが同時に除霜運転を行わないようにしたものである。本実施の形態によれば、除霜すべきヒートポンプサイクルが複数ある場合でも、除霜すべき複数のヒートポンプサイクルの除霜運転のタイミングをずらし、少なくとも１つのヒートポンプサイクルを給湯運転させることができる。したがって、除霜と給湯の同時運転が可能になり、給湯が途切れることがない。
本発明による第５の実施の形態は、第２から第４のいずれかの実施の形態によるヒートポンプ給湯装置において、ヒートポンプサイクルの給湯運転モード終了時に、着霜検出手段によって蒸発器への着霜を検出し、蒸発器への着霜を検出した場合には、除霜手段によって蒸発器に付着した霜を溶かした後にヒートポンプサイクルの運転を停止するにしたものである。本実施の形態によれば、ヒートポンプサイクルが停止した状態で着霜していることがないので、次の運転開始時に直ちに給湯運転を開始することができる。したがって、給湯運転の立ち上げを早くすることができる。
本発明による第６の実施の形態は、第１から第５のいずれかの実施の形態によるヒートポンプ給湯装置において、複数のヒートポンプサイクルによる給湯運転モード時に、除霜手段を動作させる制御手段の動作条件を、ヒートポンプサイクル毎に異ならせたものである。本実施の形態によれば、ヒートポンプサイクル毎に除霜開始のタイミングをずらすことができるので、全てのヒートポンプサイクルを同時に除霜運転させることを防止し、少なくとも１つのヒートポンプサイクルを給湯運転させるようにすることができる。
本発明による第７の実施の形態は、第１から第５のいずれかの実施の形態によるヒートポンプ給湯装置において、複数のヒートポンプサイクルによる給湯運転モード時に、除霜手段を動作させる制御手段の初回の動作条件をヒートポンプサイクル毎に異ならせたものである。本実施の形態によれば、初回の除霜運転時のみ除霜運転のタイミングをずらすことができるので、全てのヒートポンプサイクルを同時に除霜運転させることを防止し、少なくとも１つのヒートポンプサイクルを給湯運転させるようにすることができる。そして、２回目以降の除霜運転のタイミングをずらす制御を行うことなく、給湯運転を効率的に行うことができる。
本発明による第８の実施の形態によるヒートポンプ給湯装置は、蒸発器に付着した霜を溶かす除霜手段と、除霜手段を動作させる制御手段とを設けたものである。本実施の形態によれば、給湯に与える影響を最小限に抑えて蒸発器に付着した霜を除霜することができる。
本発明による第９の実施の形態は、第１から第８のいずれかの実施の形態によるヒートポンプ給湯装置において、ヒートポンプサイクルに用いる冷媒を二酸化炭素とし、高圧側では臨界圧を越える状態で運転するものである。本実施の形態によれば、高温の湯を生成することができ、また貯湯タンクを併用する場合には高温の湯を貯留できるため、貯湯タンクを小型化できる。
【０００８】
【実施例】
以下、本発明の一実施例によるヒートポンプ給湯装置について図面を用いて説明する。
図１は、本発明の一実施例によるヒートポンプ給湯装置の回路構成図である。本実施例によるヒートポンプ給湯装置は、第１のヒートポンプサイクル１０と、第２のヒートポンプサイクル２０とを備えている。第１のヒートポンプサイクル１０及び第２のヒートポンプサイクル２０は、二酸化炭素を冷媒として用い、高圧側では臨界圧を越える状態で運転することが好ましい。
第１のヒートポンプサイクル１０は、圧縮機１１、給湯用熱交換器３０の放熱管１２、膨張弁１３、及び蒸発器１４を順に配管で接続して構成されている。また、第１のヒートポンプサイクル１０は、放熱管１２をバイパスするバイパス回路１５を備え、このバイパス回路１５には制御弁１６を設けている。また、第１のヒートポンプサイクル１０には、蒸発器１４の冷媒温度を検出する温度センサ１７備えている。温度センサ１７の検出温度により蒸発器１４の着霜の状態を検出することができる。さらに蒸発器１４に送風するためのファン１８を設けている。第１のヒートポンプサイクル１０の各部の動作は制御回路（制御手段）１９により制御される。
一方、第２のヒートポンプサイクル２０は、圧縮機２１、給湯用熱交換器３０の放熱管２２、膨張弁２３、及び蒸発器２４を順に配管で接続して構成されている。また、第２のヒートポンプサイクル２０は、放熱管２２をバイパスするバイパス回路２５を備え、このバイパス回路２５には制御弁２６を設けている。また、第２のヒートポンプサイクル２０には、蒸発器２４の冷媒温度を検出する温度センサ２７備えている。温度センサ２７の検出温度により蒸発器２４の着霜の状態を検出することができる。さらに蒸発器２４に送風するためのファン２８を設けている。第２のヒートポンプサイクル２０の各部の動作は制御回路（制御手段）２９により制御される。
給湯用熱交換器３０の水用配管３１は、流入側には流量調整弁３２を介して水道管等の水供給配管３３に接続されている。流量調整弁３２の出口側には水用配管３１への入水量を検出する流量センサ３４が設けられている。一方、水用配管３１の流出側は給湯管３５によりキッチンや洗面所、浴室等の給湯用の蛇口３６に接続されている。
【０００９】
次に、本実施例によるヒートポンプ給湯装置の動作について説明する。
蛇口３６の開放を流量センサ３４にて検知し、第１のヒートポンプサイクル１０は制御回路１９により、第２のヒートポンプサイクル２０は制御回路２９により制御されて運転を開始する。
第１のヒートポンプサイクル１０では、圧縮機１１で圧縮された冷媒は、給湯用熱交換器３０の放熱管１２で放熱し、膨張弁１３で減圧された後、蒸発器１４にて吸熱し、ガス状態で圧縮機１１に吸入される。このとき、制御弁１６は閉状態で、バイパス回路１５には冷媒は流れない。
第２のヒートポンプサイクル２０では、圧縮機２１で圧縮された冷媒は、給湯用熱交換器３０の放熱管２２で放熱し、膨張弁２３で減圧された後、蒸発器２４にて吸熱し、ガス状態で圧縮機２１に吸入される。このとき、制御弁２６は閉状態で、バイパス回路２５には冷媒は流れない。
水供給配管３３から供給される水は、流量調整弁３２で流量調整され、給湯用熱交換器３０の水用配管３１に導かれる。水用配管３１を通る水は、放熱管１２、２２からの放熱により加熱され、給湯管３５により蛇口３６に導かれる。
【００１０】
次に、本実施例によるヒートポンプ給湯装置の除霜運転モードについて説明する。
第１のヒートポンプサイクル１０及び第２のヒートポンプサイクル２０を運転して給湯を行い、外気温が低い状態である時間を経過すると第１のヒートポンプサイクル１０の蒸発器１４及び第２のヒートポンプサイクル２０の蒸発器２４に着霜現象が発生する。蒸発器１４の着霜の状態は温度センサ１７の検出温度で、蒸発器２４の着霜の状態は温度センサ２７の検出温度で検出される。
【００１１】
図２に温度センサ１７、２７の検出した蒸発器１４、２４の温度変化の一例を示す。
給湯運転を開始すると蒸発器１４、２４には少しずつ霜が着霜して、蒸発器１４、２４の温度は初期の温度Ｔ１から曲線のように下がり始める。蒸発器１４、２４の温度がＴ２まで下がったＰ点に達すると、給湯運転が正常に行えなくなるので除霜運転を開始させる。
第１のヒートポンプサイクル１０での除霜運転は、制御回路１９により制御弁１６を開とし、ファン１８の動作を停止して行う。圧縮機１１で圧縮された冷媒は、バイパス回路１５を流れ、蒸発器１４にて放熱し、圧縮機１１に吸入される。このように蒸発器１４にて所定時間冷媒を放熱させることで、蒸発器１４の除霜を行うことができる。蒸発器１４の除霜が終了すると制御弁１６を閉じて給湯運転を開始又は待機する。
第２のヒートポンプサイクル２０での除霜運転は、制御回路２９により制御弁２６を開とし、ファン２７の動作を停止して行う。圧縮機２１で圧縮された冷媒は、バイパス回路２５を流れ、蒸発器２４にて放熱し、圧縮機２１に吸入される。このように蒸発器２４にて所定時間冷媒を放熱させることで、蒸発器２４の除霜を行うことができる。蒸発器２４の除霜が終了すると制御弁２６を閉じて給湯運転を開始又は待機する。
【００１２】
第１のヒートポンプサイクル１０の除霜運転及び第２のヒートポンプサイクル２０の除霜運転は同時に行われないように制御回路１９、２９により制御される。すなわち、第１のヒートポンプサイクル１０が除霜運転している間は第２のヒートポンプサイクル２０は除霜運転を行わずに給湯運転を行うようにする。このように制御すれば、蛇口３６への給湯は第１のヒートポンプサイクル１０が除霜運転している間も第２のヒートポンプサイクル２０により継続され、給湯が中断されることがない。第１のヒートポンプサイクル１０の除霜運転が完了したら、第１のヒートポンプサイクル１０は給湯運転モードに変更し、第２のヒートポンプサイクル２０を除霜運転モードに切り替えて除霜運転を開始する。このとき蛇口３６への給湯は第１のヒートポンプサイクル１０で行われる。このように、第１のヒートポンプサイクル１０と第２のヒートポンプサイクル２０で同時に除霜運転を行わないように制御回路１９、２９で制御することにより、蛇口３６への給湯を中断することなく除霜することができる。
第１のヒートポンプサイクル１０の除霜運転及び第２のヒートポンプサイクル２０の除霜運転を同時に行わないようにするには、たとえば、図２において、第１のヒートポンプサイクル１０は蒸発器１４の温度がＴ２になるＰ点に達する前の温度Ｔ３になったＱ点で除霜運転を開始し、第２のヒートポンプサイクル２０は第１のヒートポンプサイクル１０の除霜運転が完了するまで除霜運転を開始させず、第１のヒートポンプサイクル１０の除霜運転が完了したときに除霜運転を開始させる。そのときの蒸発器２４の温度はたとえばＰ点に達している。
【００１３】
この動作条件は、第１のヒートポンプサイクル１０の制御回路１９の除霜運転開始温度をＴ３に、第２のヒートポンプサイクル２０の制御回路２９の除霜運転開始温度をＴ２に設定すればよい。
また、この動作条件は、蒸発器１４、２４の温度以外に、給湯運転開始後、所定時間経過したときに自動的に除霜運転に切り替えるようにし、この所定の経過時間を第１のヒートポンプサイクル１０と第２のヒートポンプサイクル２０で異ならせるように設定することもできる。
また、この動作条件は、ヒートポンプサイクル１０と第２のヒートポンプサイクル２０の除霜運転の都度設定してもよいが、ヒートポンプサイクル１０と第２のヒートポンプサイクル２０の給湯運転開始後、初回の動作条件をヒートポンプサイクル毎に異ならせるようにしてもよい。初回の動作条件を異ならせれば、以降の蒸発器１４、２４の着霜状況は各ヒートポンプサイクル間でその分異なるので、図２に示した温度変化曲線のタイミングもその分異なる。したがって、２回目以降の除霜運転では、その都度条件を再設定する必要がないので、給湯運転の効率を低下させることがなく、蒸発器１４、２４を効率的に運転させることができる。
【００１４】
給湯運転が終了すると、温度センサ１７、２７で蒸発器１４、２４への着霜状態を検出し、蒸発器１４、２４に着霜がある場合は、除霜運転して蒸発器１４、２４に付着した霜を溶かした後にヒートポンプサイクル１０、２０の運転を停止する。この場合は、すでに給湯が終了しているので、ヒートポンプサイクル１０及びヒートポンプサイクル２０の除霜運転は同時に行ってもよい。
このように、給湯運転が終了したときに各ヒートポンプサイクル１０及びヒートポンプサイクル２０の除霜運転を行ってから停止させると、ヒートポンプサイクルが停止した状態で着霜していることがないので、次の運転開始時に直ちに給湯運転を開始することができる。したがって、給湯運転の立ち上げを早くすることができる。
【００１５】
なお、上記実施例では冷媒として二酸化炭素を用いた場合で説明したが、冷媒としてＲ４１０Ａ冷媒やＨＣ冷媒などのその他の冷媒を用いてもよい。
また、上記実施例では、第１のヒートポンプサイクル１０と第２のヒートポンプサイクル２０とを備えたヒートポンプ給湯装置を用いて説明したが、３つ以上のヒートポンプサイクルを用いてもよい。この場合は、少なくとも１つのヒートポンプサイクルが必ず給湯運転状態になるように制御すればよい。
また、上記実施例では、除霜運転時にはバイパス回路１５、２５だけに冷媒を流す場合で説明したが、圧縮機１１、２１で圧縮された冷媒を、バイパス回路１５、２５だけでなく、放熱管１２、２２にも一部流すように構成してもよい。
また、上記実施例では、バイパス回路１５、２５と制御弁１６、２６とで除霜手段を構成する場合で説明したが、除霜手段として、このようなバイパス回路１５、２５や制御弁１６、２６を用いることなく、膨張弁１３、２３を開放することで、高圧高温冷媒を蒸発器１４、２４に導くように構成してもよく、その他四方弁の切り換えによって冷媒の流れを変えることで、高圧高温冷媒を蒸発器１４、２４に導くように構成してもよい。
また、除霜運転時に圧縮機１１、２１で圧縮された冷媒を、バイパス回路１５、２５だけでなく放熱管１２、２２にも一部流すように構成した場合や、膨張弁１３、２３を開放することで高圧高温冷媒を蒸発器１４、２４に導くように構成した場合には、必ずしも複数のヒートポンプサイクルを用いなくてもよい。
また、制御回路１９及び制御回路２９を第１のヒートポンプサイクル１０と第２のヒートポンプサイクル２０にそれぞれ別に設けたが、両者を一体として共通の制御回路を設けるようにしてもよい。
【００１６】
【発明の効果】
以上のように本発明は、ヒートポンプサイクルを利用した瞬間湯沸かし型の給湯装置であって、貯湯槽を必要とせずに、蒸発器の除霜をしている間でも給湯を継続させることができる。したがって、給湯が途切れることなく常に給湯することができる。
【図面の簡単な説明】
【図１】本発明の一実施例によるヒートポンプ給湯装置の回路構成図
【図２】本発明の一実施例によるヒートポンプ給湯装置の除霜動作を説明するための蒸発器温度の特性図
【符号の説明】
１０    第１のヒートポンプサイクル
１１    圧縮機
１２    放熱管
１３    膨張弁
１４    蒸発器
１５    バイパス回路
１６    制御弁
１７    温度センサ
１８    ファン
１９    制御回路（制御手段）
２０    第２のヒートポンプサイクル
２１    圧縮機
２２    放熱管
２３    膨張弁
２４    蒸発器
２５    バイパス回路
２６    制御弁
２７    温度センサ
２８    ファン
２９    制御回路（制御手段）
３０    給湯用熱交換器
３１    水用配管
３６    蛇口
【図１】
2004360973.tif 000003
【図２】
2004360973.tif 000004